(57)【要約】【課題】所望の上下領域を簡易的な構成で照明することが可能な照明器具を提供する。【解決手段】照明器具１０は、水平面よりも下方に第１光を照射する第１光源２１と、水平面よりも下方に第２光を照射する第２光源２２と、光透過性のパネル４１と、第１光の第１部分Ｌ１ａを、第２光源２２から離間する方向で、水平面よりも上方に反射させる第１反射板２７と、第２光の第１部分Ｌ２ａを、第１光源２１から離間する方向で、水平面よりも上方に反射させる第２反射板２８と、第１光源２１よりも水平方向で第２光源２２の側にあり、第１光の第２部分Ｌ１ｂを、第１陰影領域Ｒ１に向けて反射させる第３反射板２５ｃと、第２光源２２よりも水平方向で第１光源２１の側にあり、第２光の第２部分Ｌ２ｂを、第２陰影領域Ｒ２に向けて反射させる第４反射板２５ｄと、を備える。【選択図】図２
2020145013.tif 000002
【特許請求の範囲】
【請求項１】
水平面よりも下方に第１光を照射する第１光源と、
水平面よりも下方に第２光を照射する第２光源と、
前記第１光の一部及び前記第２光の一部を拡散させる光透過性のパネルと、
前記第１光の第１部分を、前記第２光源から離間する方向で、水平面よりも上方に反射させる第１反射板と、
前記第２光の第１部分を、前記第１光源から離間する方向で、水平面よりも上方に反射させる第２反射板と、
前記第１光源よりも水平方向で前記第２光源の側にあり、前記第１光の第２部分を、前記第１反射板で前記第１光が遮られることで前記パネルの表面上に形成される第１陰影領域に向けて反射させる第３反射板と、
前記第２光源よりも水平方向で前記第１光源の側にあり、前記第２光の第２部分を、前記第２反射板で前記第２光が遮られることで前記パネルの表面上に形成される第２陰影領域に向けて反射させる第４反射板と、
を備え、
前記第１反射板と前記第３反射板との第１間隔は、前記第１光の第３部分が前記第１間隔を通過して前記第２陰影領域に到達する寸法を有し、
前記第２反射板と前記第４反射板との第２間隔は、前記第２光の第３部分が前記第２間隔を通過して前記第１陰影領域に到達する寸法を有する、照明器具。
【請求項２】
前記第１間隔は、前記第１光の前記第３部分が、前記第２陰影領域のうち、前記第４反射板で反射された前記第２光の前記第２部分が到達する領域とは異なる領域に到達する寸法を有し、
前記第２間隔は、前記第２光の前記第３部分が、前記第１陰影領域のうち、前記第３反射板で反射された前記第１光の前記第２部分が到達する領域とは異なる領域に到達する寸法を有する、請求項１に記載の照明器具。
【請求項３】
前記第１光源と前記第２光源との間の中間位置を基準として、前記第１反射板と前記第２反射板とは互いに面対称であり、かつ、前記第３反射板と前記第４反射板とは互いに面対称である、請求項１又は２に記載の照明器具。
【請求項４】
前記第１光源と前記第２光源とを支持する支持部材を備え、
前記第３反射板及び前記第４反射板は、前記支持部材の一部である、請求項１乃至３のいずれか１項に記載の照明器具。
【請求項５】
前記パネルの形状は、前記第１光源と前記第２光源との間の中間位置を基準として対称であり、
前記パネルの高さは、前記中間位置から水平方向に離間するにつれて高くなる、請求項１乃至４のいずれか１項に記載の照明器具。
【請求項６】
前記パネルの最も高い位置は、前記第１反射板及び前記第２反射板の高さよりも高い、請求項５に記載の照明器具。
【請求項７】
前記第１反射板及び前記第２反射板を内包する光透過性のカバーを備え、
前記パネルは、前記第１反射板及び前記第２反射板よりも低い位置において前記カバーに支持される、請求項５又は６に記載の照明器具。
【発明の詳細な説明】
【技術分野】
【０００１】
本開示は、照明器具に関する。
【背景技術】
【０００２】
従来、例えばＬＥＤ（発光ダイオード）を光源として採用し、天井に取り付けられる照明器具がある。特許文献１は、本体を長尺の筒型形状とし、天井面との間に空間を形成することで、光源から発せられる熱を滞留させづらくする照明器具を開示している。
【先行技術文献】
【特許文献】
【０００３】
【特許文献１】特開２０１５−６９７６４号公報
【発明の概要】
【発明が解決しようとする課題】
【０００４】
特許文献１に開示されている照明器具は、天井側から下方を照明する。これに対して、下方のみを照明するのではなく、同時に上方すなわち天井面を照明する照明器具が要求される場合もある。ここで、照明器具に、例えば、下方を照明するための光源と、上方を照明するための光源とを含ませるとすると、照明装置全体が大型化したり、消費電力が増えたりする。一方、例えば、直管型ＬＥＤランプを光源として用いた照明器具であれば、１つの光源で上下方向を照明させることが可能である。しかし、直管型ＬＥＤランプを用いた照明器具では、例えば、天井面の広範囲に光を照射することが難しく、また、所望の照射方向又は照射領域に光が向かうように調整することが難しい。
【０００５】
本開示は、このような従来技術の有する課題に鑑みてなされたものである。そして、本開示の目的は、所望の上下領域を簡易的な構成で照明することが可能な照明器具を提供することにある。
【課題を解決するための手段】
【０００６】
上記課題を解決するために、本開示の態様に係る照明器具は、水平面よりも下方に第１光を照射する第１光源と、水平面よりも下方に第２光を照射する第２光源と、第１光の一部及び第２光の一部を拡散させる光透過性のパネルと、第１光の第１部分を、第２光源から離間する方向で、水平面よりも上方に反射させる第１反射板と、第２光の第１部分を、第１光源から離間する方向で、水平面よりも上方に反射させる第２反射板と、第１光源よりも水平方向で第２光源の側にあり、第１光の第２部分を、第１反射板で第１光が遮られることでパネルの表面上に形成される第１陰影領域に向けて反射させる第３反射板と、第２光源よりも水平方向で第１光源の側にあり、第２光の第２部分を、第２反射板で第２光が遮られることでパネルの表面上に形成される第２陰影領域に向けて反射させる第４反射板と、を備え、第１反射板と第３反射板との第１間隔は、第１光の第３部分が第１間隔を通過して第２陰影領域に到達する寸法を有し、第２反射板と第４反射板との第２間隔は、第２光の第３部分が第２間隔を通過して第１陰影領域に到達する寸法を有する。
【発明の効果】
【０００７】
本開示によれば、所望の上下領域を簡易的な構成で照明することが可能な照明器具を提供することができる。
【図面の簡単な説明】
【０００８】
【図１】本開示の一実施形態に係る照明器具の外観を示す図である。
【図２】本開示の一実施形態に係る照明器具による下方配光を説明する断面図である。
【図３】本開示の一実施形態に係る照明器具による上方配光を説明する断面図である。
【図４】本開示の他の実施形態に係る照明器具の構成を示す断面図である。
【発明を実施するための形態】
【０００９】
以下、各実施形態について図面を参照しつつ詳細に説明する。以下の説明では、鉛直方向をＺ方向と規定する。以下、「上」とは、鉛直方向での上方をいい、「下」とは、鉛直方向での下方をいう。また、Ｚ方向に対して垂直となる平面内で、互いに垂直なＸ方向及びＹ方向を規定する。すなわち、ＸＹ平面は水平面である。
【００１０】
図１は、本実施形態に係る照明器具１０の外観を示す斜視図である。図２及び図３は、照明器具１０の断面図である。図２では、下方配光に係る光路が記載されている。図３では、上方配光に係る光路が記載されている。照明器具１０は、屋内のフロア等の天井面に取り付けられる。照明器具１０は、図２に示すような配光で天井側から下方を照らす下方照明と、図３に示すような配光で天井面を照らす上方照明とを合わせた、上下配光照明を行う。照明器具１０は、本体部２０と、セード４０と、支持部５０とを備える。
【００１１】
本体部２０は、複数の第１光源２１と複数の第２光源２２とを備える。第１光源２１及び第２光源２２は、それぞれ、例えば、点光源であるＬＥＤである。第１光源２１及び第２光源２２は、それぞれ、Ｚ方向の下方に向かう姿勢で配置され、水平面よりも下方を照射範囲とする。以下、第１光源２１の照射範囲を第１照射範囲という。一方、第２光源２２の照射範囲を第２照射範囲という。また、第１光源２１が発する光を第１光という。一方、第２光源２２が発する光を第２光という。複数の第１光源２１は、Ｘ方向に沿って、互いに等間隔で第１基板２３上に配列されている。複数の第２光源２２は、Ｘ方向に沿って、互いに等間隔で第２基板２４上に配列されている。第１光源２１の配列と第２光源２２の配列とは、水平面上で互いに並伸している。そのため、本体部２０の形状は、全体として、発光部分の形状に合わせて水平面上の一方向に細長い。つまり、照明器具１０の形状も、全体として横長となる。ここで、図２及び図３に示すように、照明器具１０に基準面Ｐを規定する。基準面Ｐは、第１光源２１と第２光源２２との中間位置を通り、ＹＺ平面に対して平行な面である。これによれば、第１光源２１の配列と第２光源２２の配列とは、基準面Ｐを基準として面対称となる。
【００１２】
また、本体部２０は、支持部材２５と、筐体２６と、第１反射板２７と、第２反射板２８と、カバー２９とを備える。
【００１３】
支持部材２５は、第１光源２１を実装した第１基板２３、及び、第２光源２２を実装した第２基板２４を支持する。支持部材２５は、鋼又はアルミニウム合金等の金属で形成された、全体として本体部２０の延伸方向の形状に合わせて細長い形状を有する加工体である。なお、支持部材２５の詳細形状については、第３反射板２５ｃ及び第４反射板２５ｄ等の説明と併せて後述する。また、支持部材２５は、延伸方向に沿った両端部に、筐体２６と係合する側板２５ｅと、カバー２９の一部と係合する係合溝２５ｆとを有する。
【００１４】
筐体２６は、電源ユニット３０等の第１光源２１及び第２光源２２の点灯に要する構成要素を内部に収容し、カバー２９と合わせて支持部材２５を支持する。筐体２６は、鋼板等の金属板を加工して形成される。筐体２６の形状は、下方の面を開放面として、本体部２０の延伸方向の形状に合わせて細長い箱状である。筐体２６は、例えば側面部で、支持部材２５のそれぞれの側板２５ｅを支持する。筐体２６の天板２６ａには、支持部５０が設置されている。本実施形態では、一例として、図１に示すように、支持部５０が本体部２０の延伸方向に沿って２つある。本体部２０は、予め不図示の天井から吊り下げられている２つの吊り下げ棒１００にそれぞれ支持部５０を連結させることで、天井に取り付けられる。
【００１５】
第１反射板２７は、図３に示すように、第１光の一部を、第２光源２２から離間する方向で、かつ、水平面よりも上方に反射させる。ここで、第２光源２２は、第１光を発する第１光源２１のＸ方向のプラス側にある。したがって、本実施形態において第２光源２２から離間する方向とは、おおよそＸ方向のプラス側からマイナス側に向かう方向、すなわち、第１光源２１と第２光源２２とが対向する方向において、第２光源２２が配列されている方向とは反対側の方向に相当する。
【００１６】
第１反射板２７の形状は、第１光源２１及び第２光源２２の並伸方向に沿って延伸する長板状である。第１反射板２７において、第１光源２１に対向する表面が第１反射面２７ａである。第１反射面２７ａは、第１光を所望の方向又は領域に向かわせるように規定され、曲面であってもよいし、平面であってもよい。第１反射板２７は、アルミニウム合金等の金属板を加工して形成されてもよい。第１反射面２７ａには、鏡面仕上げが施されていてもよい。また、第１反射板２７は、第１反射面２７ａとは反対側の面に、第１反射板２７を本体部２０内に固定するための第１係合部２７ｂを有する。本実施形態では、第１反射板２７は、両端部が例えばカバー２９に支持された２つの第１支持棒３１により支持される。この場合、第１係合部２７ｂは、それぞれの第１支持棒３１の一部を嵌め込むことで第１支持棒３１に係合するものであってもよい。
【００１７】
第２反射板２８は、図３に示すように、第２光の一部を、第１光源２１から離間する方向で、かつ、水平面よりも上方に反射させる。ここで、第１光源２１は、第２光を発する第２光源２２のＸ方向のマイナス側にある。したがって、本実施形態において第１光源２１から離間する方向とは、おおよそＸ方向のマイナス側からプラス側に向かう方向、すなわち、第１光源２１と第２光源２２とが対向する方向において、第１光源２１が配列されている方向とは反対側の方向に相当する。
【００１８】
第２反射板２８の形状は、基本的には、基準面Ｐを基準として第１反射板２７の形状と面対称である。つまり、第２反射板２８の形状は、第１光源２１及び第２光源２２の並伸方向に沿って延伸する長板状である。第２反射板２８において、第２光源２２に対向する表面が第２反射面２８ａである。第２反射面２８ａは、第２光を所望の方向又は領域に向かわせるように規定され、曲面であってもよいし、平面であってもよい。第２反射板２８は、アルミニウム合金等の金属板を加工して形成されてもよい。第２反射面２８ａには、鏡面仕上げが施されていてもよい。また、第２反射板２８は、第２反射面２８ａとは反対側の面に、第２反射板２８を本体部２０内に固定するための第２係合部２８ｂを有する。本実施形態では、第２反射板２８は、両端部が例えばカバー２９に支持された２つの第２支持棒３２により支持される。この場合、第２係合部２８ｂは、それぞれの第２支持棒３２の一部を嵌め込むことで第２支持棒３２に係合するものであってもよい。
【００１９】
さらに、本体部２０は、第３反射板と第４反射板とを備える。図２に示すように、第１照射範囲内には第１反射板２７が存在するため、後述するパネル４１の表面上には、第１反射板２７で第１光の一部が遮られることで第１陰影領域Ｒ１が形成される。第３反射板とは、第１反射板２７に向かう第１光の第１部分Ｌ１ａ（図３参照）とは異なる光路で導入された第１光の第２部分Ｌ１ｂ（図２参照）を、第１陰影領域Ｒ１に向けて反射させる反射板をいう。同様に、第２照射範囲内には第２反射板２８が存在するため、パネル４１の表面上には、第２反射板２８で第２光の一部が遮られることで第２陰影領域Ｒ２が形成される。第４反射板とは、第２反射板２８に向かう第２光の第１部分Ｌ２ａ（図３参照）とは異なる光路で導入された第２光の第２部分Ｌ２ｂ（図２参照）を、第２陰影領域Ｒ２に向けて反射させる反射板をいう。
【００２０】
本実施形態では、第３反射板及び第４反射板は、支持部材２５の一部である。まず、支持部材２５は、第１基板２３を固定する第１平面部２５ａと、第２基板２４を固定する第２平面部２５ｂとを有する。第１平面部２５ａと第２平面部２５ｂとは、互いに水平方向で離間している。この場合、第３反射板２５ｃ及び第４反射板２５ｄは、それぞれ、支持部材２５の延伸方向に合わせて延伸して、第１平面部２５ａと第２平面部２５ｂとの間に設けられる。第３反射板２５ｃは、基準面Ｐに対して第１角度θ１で傾斜している。第３反射板２５ｃの一辺は、第１平面部２５ａにおける第２平面部２５ｂと対向する一辺と連続し、第３反射板２５ｃの他の一辺は、基準面Ｐ上にある。同様に、第４反射板２５ｄは、基準面Ｐに対して第１角度θ１で傾斜している。第４反射板２５ｄの一辺は、第２平面部２５ｂにおける第１平面部２５ａと対向する一辺と連続し、第４反射板２５ｄの他の一辺は、基準面Ｐ上にある。そして、第３反射板２５ｃと第４反射板２５ｄとは、基準面Ｐ上で連続する。なお、第３反射板２５ｃ又は第４反射板２５ｄのそれぞれの反射面には、鏡面仕上げが施されていてもよい。つまり、第３反射板２５ｃと第４反射板２５ｄとは、基準面Ｐを基準として面対称となる。特に、図２又は図３に示すように、支持部材２５を断面で見た場合には、第３反射板２５ｃと第４反射板２５ｄとの組は、水平面上にある第１平面部２５ａと第２平面部２５ｂとに対して、基準面Ｐ上の連続部分を稜線とする山形となる。
【００２１】
カバー２９は、第１光及び第２光を透過可能であり、第１光源２１及び第２光源２２、並びに、第１反射板２７、第２反射板２８、第３反射板２５ｃ及び第４反射板２５ｄを内包して保護する。カバー２９は、例えば、透明色である樹脂等の光透過性の材料で形成される。カバー２９の形状は、上方の面を開放面として、本体部２０の延伸方向の形状に合わせて細長い箱状である。カバー２９は、上方の開放面を形成する外周端２９ａが、支持部材２５に形成されている係合溝２５ｆに係合することで、支持部材２５に支持される。
【００２２】
セード４０は、第１光源２１から発せられた第１光、及び、第２光源２２から発せられた第２光を拡散させて、照射光として照射領域に向かわせる。セード４０は、例えば、乳白色である樹脂等の光透過性の材料で形成される。セード４０は、本体部２０の延伸方向に合わせて延伸し、上下２層のパネルを組み合わせた形状を有する。具体的には、セード４０は、照射領域に面する下方側のパネル４１と、本体部２０に支持される上方側の支持パネルとを有する。
【００２３】
パネル４１のＸＺ平面で切断した断面形状は、基準面Ｐを基準として面対称であり、本体部２０を基準として凹となる曲形である。図２に示すように、パネル４１の延伸方向の一方の端部は、第１照射範囲を覆う位置まで達している。一方、パネル４１の延伸方向の他方の端部は、第２照射範囲を覆う位置まで達している。すなわち、パネル４１は、全体として、第１照射範囲と第２照射範囲とを覆うことになる。なお、本実施形態では、パネル４１のＸＺ平面で切断した断面形状が、おおよそ半円形であるものとしているが、例えば、複数の曲率の曲面が組み合わされた異形状であってもよい。
【００２４】
支持パネルは、中央板部４２と、第１支持板部４３と、第２支持板部４４とを有する。中央板部４２は、水平面上にある平板部であり、本体部２０のカバー２９に取り付けられる。具体的には、中央板部４２は、カバー２９における第１光源２１又は第２光源２２に対向して水平面上にある正面板２９ｂに接する。中央板部４２とカバー２９とは、不図示であるが、ボルト等の締結部材や取付金具などを用いて結合されてもよいし、接着剤を用いて接着されてもよい。
【００２５】
第１支持板部４３及び第２支持板部４４は、それぞれ、中央板部４２に対してパネル４１を支持する平板部である。セード４０の延伸方向において、第１支持板部４３の一方の端部は、中央板部４２の一方の端部と連続する。第１支持板部４３の他方の端部は、パネル４１の一方の端部と連続する。同様に、セード４０の延伸方向において、第２支持板部４４の一方の端部は、中央板部４２の他方の端部と連続する。第２支持板部４４の他方の端部は、パネル４１の他方の端部と連続する。つまり、本実施形態では、セード４０は、第１光及び第２光を通過させる内部空間Ｓを有する筒体である。なお、セード４０のＸ方向の両端部は、不図示の側面板で覆われていてもよい。また、本実施形態では、第１支持板部４３及び第２支持板部４４は、それぞれ、中央板部４２の端部に連続する側よりも、基準面Ｐから離間する方向であるパネル４１の端部と連続する側の方がＺ方向で高くなるように、第２角度θ２で傾斜している。
【００２６】
次に、照明器具１０による作用及び効果について説明する。
【００２７】
本実施形態に係る照明器具１０は、水平面よりも下方に第１光を照射する第１光源２１と、水平面よりも下方に第２光を照射する第２光源２２と、第１光の一部及び第２光の一部を拡散させる光透過性のパネル４１とを備える。照明器具１０は、第１光の第１部分Ｌ１ａを、第２光源から離間する方向で、水平面よりも上方に反射させる第１反射板２７と、第２光の第１部分Ｌ２ａを、第１光源２１から離間する方向で、水平面よりも上方に反射させる第２反射板２８とを備える。照明器具１０は、第１光源よりも水平方向で第２光源の側にあり、第１光の第２部分Ｌ１ｂを、第１反射板２７で第１光が遮られることでパネル４１の表面上に形成される第１陰影領域Ｒ１に向けて反射させる第３反射板２５ｃを備える。照明器具１０は、第２光源よりも水平方向で第１光源の側にあり、第２光の第２部分Ｌ２ｂを、第２反射板２８で第２光が遮られることでパネル４１の表面上に形成される第２陰影領域Ｒ２に向けて反射させる第４反射板２５ｄを備える。第１反射板２７と第３反射板２５ｃとの第１間隔Ｄ１は、第１光の第３部分Ｌ１ｃが第１間隔Ｄ１を通過して第２陰影領域Ｒ２に到達する寸法を有する。第２反射板２８と第４反射板２５ｄとの第２間隔Ｄ２は、第２光の第３部分Ｌ２ｃが第２間隔Ｄ２を通過して第１陰影領域Ｒ１に到達する寸法を有する。
【００２８】
まず、照明器具１０に採用される第１光源２１及び第２光源２２は、ともに水平面よりも下方を照射範囲とする同種の光源である。また、照明器具１０は、光透過性のパネル４１を備えている。そのため、第１光源２１から発せられた第１光、及び、第２光源２２から発せられた第２光は、射出直後では、照射方向の上流側にあるパネル４１に向かう。
【００２９】
次に、図３を参照すると、照明器具１０は第１反射板２７を備えるので、第１光源２１から発せられた第１光のうちの第１部分Ｌ１ａが、第１反射板２７で反射されて、第２光源２２から離間する方向で、かつ、水平面よりも上方に向かう。同様に、照明器具１０は第２反射板２８を備えるので、第２光源２２から発せられた第２光のうちの第１部分Ｌ２ａが、第２反射板２８で反射されて、第１光源２１から離間する方向で、かつ、水平面よりも上方に向かう。つまり、照明器具１０は、上方配光の照明を行うことになる。
【００３０】
ここで、照明器具１０が天井に取り付けられた状態では、第１反射板２７又は第２反射板２８で反射された光は、天井面を照明することになる。この場合、例えば、第１反射板２７の第１反射面２７ａの形状や第１反射板２７の支持角度などを適宜変更することで、天井面に対する光の照射方向や照射領域を所望のものに容易に調整することができる。このことは、第２反射板２８についても同様である。
【００３１】
次に、図２を参照すると、第１光のうちの第１反射板２７で反射されない光は、第１光源２１の下方にあるパネル４１に向かう。特に、第１光源２１と第２光源２２とが並ぶ方向であるＹ方向において、第１反射板２７よりも、第２光源２２側とは反対側にある照射範囲では、第１光が直接的にパネル４１に到達する。なお、図２では、カバー２９の一部及びセード４０の第１支持板部４３の一部を通過するものの、第１光源２１から直接的にパネル４１に到達する第１光の範囲が、点の集合からなるハッチングで描画されている。
【００３２】
しかし、第１光源２１の第１照射範囲内には第１反射板２７が存在するので、なんら対策を施さなければ、第１光の一部が第１反射板２７で遮られて、パネル４１の表面上に第１陰影領域Ｒ１が形成される。第１陰影領域Ｒ１は、そのままでは、パネル４１の表面上の第１光が第１光源２１から直接的に照射される領域よりも暗くなる。その結果、パネル４１の全体に、光のムラが生じる原因となり得る。これに対して、本実施形態では、照明器具１０が第３反射板２５ｃを備えるので、第１光のうち、第１部分Ｌ１ａとは異なる第２部分Ｌ１ｂを第１陰影領域Ｒ１に向けて反射させる。したがって、第１陰影領域Ｒ１においても明るさを維持させることができるので、パネル４１での光のムラの発生を抑えることができる。このことは、第４反射板２５ｄについても同様である。なお、図２では、第３反射板２５ｃで反射されて第１陰影領域Ｒ１に到達する第１光の範囲が、線の集合からなるハッチングで描画されている。
【００３３】
また、第３反射板２５ｃは、第１光源２１よりも水平方向で第２光源の側にある。つまり、第１陰影領域Ｒ１の照射に用いられる第１光の第２部分Ｌ１ｂは、そのままでは第２照射範囲と重複する部分である。ここで、第１照射範囲と第２照射範囲とが重複する部分は、重複しない部分に比べて明るくなる。本実施形態では、このように第２照射範囲の側に向かおうとする第１光を第１照射範囲の側に戻して第１陰影領域Ｒ１の照明に用いるので、パネル４１での光のムラの発生をより抑えることができる。このことは、第４反射板２５ｄについても同様である。
【００３４】
また、第２間隔Ｄ２は、第２光の第３部分Ｌ２ｃが第２間隔Ｄ２を通過して第１陰影領域Ｒ１に到達する寸法を有するので、第３反射板２５ｃで反射された第１光だけでは第１陰影領域Ｒ１の照明を十分に補えない部分を第２光に補わせることができる。なお、図２では、第２光の第３部分Ｌ２ｃの範囲が、第３反射板２５ｃで反射されて第１陰影領域Ｒ１に到達する第１光の範囲を示すハッチングとは逆傾斜の線の集合からなるハッチングで描画されている。同様に、第１間隔Ｄ１は、第１光の第３部分Ｌ１ｃが第１間隔Ｄ１を通過して第２陰影領域Ｒ２に到達する寸法を有するので、第４反射板２５ｄで反射された第２光だけでは第２陰影領域Ｒ２の照明を十分に補えない部分を第１光に補わせることができる。したがって、パネル４１での光のムラの発生をより抑えることができる。
【００３５】
第１間隔Ｄ１は、例えば、第３反射板２５ｃの位置に対して、第１反射板２７の形状を変更したり、第１反射板２７の位置を変更したりすることで調整可能である。又は、第１間隔Ｄ１は、例えば、第１反射板２７の位置に対して、第３反射板２５ｃの第１角度θ１すなわち第３反射板２５ｃのＺ方向の高さを変更することで調整可能である。このことは、第２間隔Ｄ２についても同様である。
【００３６】
照明器具１０は、このようにパネル４１での光のムラの発生を抑えながら、下方配光の照明を行うことになる。つまり、照明器具１０によれば、上下方向の双方について、照明方向や照明領域を所望のものに調整しやすい。
【００３７】
さらに、本実施形態では、ともに水平面よりも下方を照射範囲とする同種の第１光源２１及び第２光源２２のみで、上下方向の双方の照明を行う。したがって、例えば、上方照明用及び下方照明用の２種類の光源を準備する必要がないので、照明器具１０全体の構成を簡略化させることができる。
【００３８】
このように、本実施形態によれば、所望の上下領域を簡易的な構成で照明することが可能な照明器具１０を提供することができる。
【００３９】
また、照明器具１０では、第１間隔Ｄ１は、第１光の第３部分Ｌ１ｃが、第２陰影領域Ｒ２のうち、第４反射板２５ｄで反射された第２光の第２部分Ｌ２ｂが到達する領域とは異なる領域に到達する寸法を有してもよい。また、第２間隔Ｄ２は、第２光の第３部分Ｌ２ｃが、第１陰影領域Ｒ１のうち、第３反射板２５ｃで反射された第１光の第２部分Ｌ１ｂが到達する領域とは異なる領域に到達する寸法を有してもよい。
【００４０】
ここで、図２を参照すると、第１陰影領域Ｒ１のうち第１光の第２部分Ｌ１ｂが到達する領域とは異なる領域とは、第３陰影領域Ｒ３をいう。第３陰影領域Ｒ３は、第１陰影領域Ｒ１に含まれるが、第１光の第２部分Ｌ１ｂから外れるため、第１陰影領域Ｒ１内の他の領域よりも暗い。これに対して、このような照明器具１０によれば、第２間隔Ｄ２が、第２光が第３陰影領域Ｒ３に到達するような寸法に規定されるので、パネル４１において暗くなる領域をより減らすことができる。同様に、第２陰影領域Ｒ２のうち第２光の第２部分Ｌ２ｂが到達する領域とは異なる領域とは、第４陰影領域Ｒ４をいう。第４陰影領域Ｒ４は、第２陰影領域Ｒ２に含まれるが、第２光の第２部分Ｌ２ｂから外れるため、第２陰影領域Ｒ２内の他の領域よりも暗い。これに対して、このような照明器具１０によれば、第１間隔Ｄ１が、第１光が第４陰影領域Ｒ４に到達するような寸法に規定されるので、パネル４１において暗くなる領域をより減らすことができる。結果として、パネル４１での光のムラの発生をより抑えることができる。
【００４１】
また、照明器具１０では、第１反射板２７と第２反射板２８とは、第１光源２１と第２光源２２との間の中間位置を基準として、互いに面対称であってもよい。かつ、第３反射板２５ｃと第４反射板２５ｄとは、第１光源２１と第２光源２２との間の中間位置を基準として、互いに面対称であってもよい。
【００４２】
このような照明器具１０によれば、水平方向において、第１光源２１の側と第２光源２２の側とで明るさをより均等にすることができる。
【００４３】
また、照明器具１０は、第１光源２１と第２光源２２とを支持する支持部材２５を備えてもよい。この場合、第３反射板２５ｃ及び第４反射板２５ｄは、支持部材２５の一部であってもよい。
【００４４】
このような照明器具１０によれば、部品点数をより削減することができる。
【００４５】
また、照明器具１０では、パネル４１の形状は、第１光源２１と第２光源２２との間の中間位置を基準として対称であってもよい。この場合、パネル４１の高さは、中間位置から水平方向に離間するにつれて高くなってもよい。
【００４６】
このような照明器具１０によれば、図２に示すように、パネル４１の断面が、第１光源２１及び第２光源２２の位置を中心領域とした凹形となるので、特にパネル４１の延伸方向に沿った両端部を、第１光源２１及び第２光源２２に近づけることができる。したがって、パネル４１において高さが最も低い表面領域と最も高い表面領域とでの明るさ差を低減させることができる。
【００４７】
また、照明器具１０では、パネル４１の最も高い位置は、第１反射板２７及び第２反射板２８の高さよりも高くてもよい。
【００４８】
ここで、図３を参照すると、パネル４１の最も高い位置が高さＨ１で表されており、第１反射板２７及び第２反射板２８は、高さＨ１よりも低い位置にある。このような照明器具１０によれば、図２に示すように、パネル４１は、第１光源２１による第１照射範囲と第２光源２２による第２照射範囲とを満遍なく覆いやすくなる。したがって、第１光源２１及び第２光源２２の照明能力を可能な限り有効に利用することができる。
【００４９】
また、照明器具１０は、第１反射板２７及び第２反射板２８を内包する光透過性のカバー２９を備えてもよい。この場合、パネル４１は、第１反射板２７及び第２反射板２８よりも低い位置においてカバー２９に支持されてもよい。
【００５０】
ここで、図３を参照すると、カバー２９によりパネル４１が支持されている位置は、カバー２９の正面板２９ｂの表面に相当し、高さＨ２で表されている。このような照明器具１０によれば、図３に示すように、第１反射板２７で反射された光と、第２反射板２８で反射された光とは、それぞれ、カバー２９を通過するのみで、パネル４１を含むセード４０を通過することなく天井面に向かうことになる。したがって、特に上方を照明する光の損失を減らし、より明るく天井面を照明することができる。
【００５１】
なお、特に天井面を照明する明るさが比較的要求されていない場合には、セード４０の形状をより簡単化させることも可能である。
【００５２】
図４は、本開示の他の実施形態として、セード４０の形状をより簡単化させた第２セード７０を備える第２照明器具６０の構成を示す断面図である。なお、図４は、照明器具１０の構成を示す図３に対応して描画されており、照明器具１０と同一構成には同一の符号を付し、説明を省略する。
【００５３】
第２セード７０は、第２パネル７１と、第２支持パネルとを備える。ここで、第２パネル７１の形状は、セード４０におけるパネル４１の形状と同等である。これに対して、第２支持パネルは、第１支持板部７２と、第２支持板部７３とを有する。つまり、第２支持パネルには、セード４０でいう中央板部４２に相当する部分が存在しない。また、第１支持板部７２及び第２支持板部７３は、それぞれ、水平面に沿った平板部材である。この場合、支持部材２５は、例えば、第１支持板部７２又は第２支持板部７３のいずれかの先端部を載置する突起部２５ｇを備えてもよい。第２セード７０によれば、このような形状を有することにより、セード４０よりも製作が容易となり、又は、支持部材２５への取り付けも容易となり得る。
【００５４】
なお、図面を用いた上記例示では、第１光源２１と第２光源２２とがそれぞれ複数であるものとしたが、単数であってもよい。この場合、例えば、本体部２０や、パネル４１を有するセード４０は、必ずしも横長にはならず、本開示は、このような形状の照明器具への適用を排除するものではない。
【００５５】
以上、好ましい実施形態について説明したが、本実施形態は、これ限定されず、その要旨の範囲内で種々の変形及び変更が可能である。
【符号の説明】
【００５６】
１０    照明器具
２１    第１光源
２２    第２光源
２５    支持部材
２５ｃ  第３反射板
２５ｄ  第４反射板
２７    第１反射板
２８    第２反射板
２９    カバー
４１    パネル
Ｄ１    第１間隔
Ｄ２    第２間隔
Ｌ１ａ  第１光の第１部分
Ｌ１ｂ  第１光の第２部分
Ｌ１ｃ  第１光の第３部分
Ｌ２ａ  第２光の第１部分
Ｌ２ｂ  第２光の第２部分
Ｌ２ｃ  第２光の第３部分
Ｒ１    第１陰影領域
Ｒ２    第２陰影領域
【図１】
2020145013.tif 000003
【図２】
2020145013.tif 000004
【図３】
2020145013.tif 000005
【図４】
2020145013.tif 000006